(57)【要約】      （修正有）【課題】携帯端末用機器の平面状表示器を用いて、より臨場感のある疑似立体表示ができ、表示用別ユニットを持ち歩かなくとも、必要なときに手軽に使えることが可能な携帯端末用ケースを提供する。【解決手段】形態端末用ケース１は、携帯端末装置６の表示器７上に組み付けられる透明薄板から成る反射部４１と、前記反射部４１と前記表示器７との成す角が略４５度になるように前記反射部４１を支持する支持部４２とを備える前記表示器７上に展開できる疑似立体表示装置４を具備することを特徴とする。【選択図】図２Ｂ
2019148642.tif 000002
【特許請求の範囲】
【請求項１】
携帯端末装置の表示器上に組み付けられる透明薄板から成る反射部と、
前記反射部と前記表示器との成す角が略４５度になるように前記反射部を支持する支持部と
を備え、
前記表示器上に展開できる疑似立体表示装置を具備する携帯端末用ケースであって、折り畳まれた前記疑似立体表示装置を収容可能な携帯端末用ケース。
【請求項２】
前記支持部が透明薄板から構成されることを特徴とする請求項１記載の携帯端末用ケース。
【請求項３】
前記支持部の中央が中空である枠体であることを特徴とする請求項１もしくは２記載の携帯端末用ケース。
【請求項４】
前記反射部の後方に背景としての蓋部を更に備えたことを特徴とする請求項１乃至３のうちの何れか１項記載の携帯端末用ケース。
【請求項５】
前記反射部と透明薄板から成る前記支持部とが、前記表示器に対して共に略４５度をなすように設置されることを特徴とする請求項１乃至４のうちの何れか１項記載の携帯端末用ケース。
【請求項６】
前記反射部は、透明薄板４枚から構成され、前記各透明薄板が前記表示器とそれぞれ略４５度を成すよう展開できることを特徴とする請求項１乃至５のうちの何れか１項記載の携帯端末用ケース。
【請求項７】
前記反射部に反射される携帯端末表示器の表示において、表示すべき映像以外の背景を黒色あるいは暗色にすることを特徴とする請求項１乃至６のうちの何れか１項記載の携帯端末用ケース。
【請求項８】
前記疑似立体表示装置が、着脱可能な構造であることを特徴とする請求項１乃至７のうちの何れか１項記載の携帯端末用ケース。
【発明の詳細な説明】
【技術分野】
【０００１】
本発明はたとえば携帯端末用ケースに係り、特にスマートフォンやタブレットのような携帯端末のケースに、同端末表示器用疑似三次元表示装置を組み合わせた携帯端末用ケースに関する。
【背景技術】
【０００２】
現在、スマートフォンやタブレットのような携帯端末が広く普及しているが、その表示画面は平面状である。平面状であるために、一部の画像や動画像の表示は臨場感に乏しい場合がある。特に歌手が歌っていたり、アイドルがダンスをしたりする動画については、より臨場感がある表示方法が望まれる。
【０００３】
携帯端末の平面状表示器を用いた新しい表示技術が特許文献１に開示されている。より詳しくは、平面状表示器の画像を透明薄板に反射させて、その反射像と透明薄板を透過して見える背景オブジェクトとを組み合わせた新しい表示技術が開示されている。
【０００４】
上記表示技術は、一部のゲーム応用には適しているが、反射させる画像の全面が明るいと背景オブジェクトが見えなくなってしまったり、逆に背景オブジェクトが明るすぎると反射像が目立たなくなったりしてしまう。また、使用するためには背景オブジェクトのユニットを持ち歩かなくてはならないため、何時でも使うことができるわけではなく、使用場面が限定されてしまう。
【先行技術文献】
【特許文献】
【０００５】
【特許文献１】特開２０１７−１８２１００号公報
【発明の概要】
【発明が解決しようとする課題】
【０００６】
本発明は上述した問題点の解決を企図したものであり、携帯端末用機器の平面状表示器を用いて、より臨場感のある疑似立体表示ができ、表示用別ユニットを持ち歩かなくとも、必要なときに手軽に使えることが可能な携帯端末用ケースを提供することを課題とする。
【課題を解決するための手段】
【０００７】
上記のような各課題を解決するために、本発明においては、疑似立体映像装置を携帯端末用ケースに組み込む。現在使われているほとんどの携帯端末装置は、損傷防止のためケースに入れて使用されている点に着眼し、本願においては、このケースにスマートフォンのような携帯端末の平面状画面が疑似立体的に見える装置を折り畳んで収納した携帯端末用ケースを提供する。
【０００８】
本発明の第1の実施態様としては、スマートフォンやタブレット型の携帯端末装置の表示器上に、透明薄板からなる反射部と、該反射部を携帯端末表示器との為す角が略４５度となる様に支持する支持部を備えて構成され、上記携帯端末装置表示器上の展開できる疑似立体表示装置を収納した携帯端末用ケースである。
【０００９】
また、上記第１の態様においては、上記支持部を透明薄板としてもよく、同支持部を中空の枠体としてもよい。更に、上記反射部の後方に携帯端末用ケースの蓋を、背景として設置できるようにしてもよい。
【００１０】
本発明の第２の実施態様としては、上記反射部及び透明薄板とを備えて成る支持部が、携帯端末表示器に対して共に略４５度となるように設置できるよう配置可能なる疑似立体表示装置を折り畳んで収納した携帯端末用ケースである。
【００１１】
本発明の第３の実施態様は、上記反射部が透明薄板４枚を備えて構成され、各透明薄板が携帯端末表示器とそれぞれ略４５度を成すよう展開できる疑似立体表示装置を折り畳んで収納した携帯端末用ケースである。
【発明の効果】
【００１２】
本発明に係る装置によれば、スマートフォンやタブレット型の携帯端末装置の平面状表示器の上部に疑似立体映像を表示することができ、より臨場感を醸し出すことができる。
【００１３】
また、上記の疑似立体表示を利用して、携帯端末装置を用いた新しいアプリケーションを考案することが期待される。
【００１４】
更に、工業製品のサンプル表示や立体図がより分かり易くなり、エンタテイメント以外にも広い活用の場を広げることが考えられる。
【図面の簡単な説明】
【００１５】
【図１】本発明の一実施形態に係る携帯端末用ケースの概略図である。
【図２Ａ】本発明の一実施形態に係る携帯端末用ケースに携帯端末装置を収容した概略図である。
【図２Ｂ】本発明の一実施形態に係る携帯端末用ケースの立体表示装置を携帯端末表示器上に展開した概略図である。
【図２Ｃ】本発明の一実施形態に係る携帯端末用ケースを水平に設置し、水平方向から疑似立体表示装置を覗いた図である。
【図３】本発明の一実施形態に係る携帯端末用ケースの蓋を背景とした概略図である。
【図４】本発明の別の実現形態による携帯端末用ケースの概略図である。
【図５】本発明の更に別の実現形態による携帯端末用ケースの概略図である。
【図６Ａ】本発明の異なる実現形態による携帯端末用ケース６０の概略図である。
【図６Ｂ】図６Ａの立体表示装置を携帯端末用ケースの蓋に折り畳んだ概略図である。
【図６Ｃ】本発明のさらに別の実現形態による携帯端末用ケース６０の概略図である。
【図６Ｄ】図６Ｃの立体表示装置を携帯端末用ケースの蓋に折り畳んだ概略図である。
【図７】支持部の構造体例の概略図である。
【発明を実施するための形態】
【００１６】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００１７】
図１は本発明の一実施形態に係る携帯端末用ケース１とスマートフォンのような携帯端末装置６とを示す概略図である。本発明の一実施形態に係る携帯端末用ケース１は、図１に示す如く、携帯端末装置６がピッタリ組み付けられるケース本体２と、ケースの蓋３に組み込まれた立体表示装置４とを備えて構成される。なお、ケース本体には後述する支持部受け５が配置されている。なお、ケース本体２は、携帯端末装置６がピッタリ収容される場合に限られるものではなく、携帯端末装置６を何らかの形で覆うもの、被さるもの、或いは携帯端末装置６に何らかの形で装着するものであってもよく、本願ではこれら全てを包摂する概念として、携帯端末装置６がケース本体２に組み付けられる、と定義する。
【００１８】
図２Ａは本発明の携帯端末用ケース１に携帯端末装置６を収容した概略図であり、図２Ｂは立体表示装置４を携帯端末表示器７上に展開した概略図である。同図に示されるように、立体表示装置４は、反射部４１と支持部４２とを備えて構成され、反射部４１はケース本体２と、ケース蓋３の基部の接合部Ａ４３で接合されている。同様に、反射部４１は支持部４２と接合部Ｂ４４によって接合されている。
【００１９】
上記接合部Ａ４３における接合並びに接合部Ｂ４４における接合は、好適には、それぞれの被接合対象を微小丁番あるいは柔軟性のある素材で柔軟接合するものである。ケース蓋３と反射部４１と支持部４２とは互いに密着してケース蓋３の裏側に折り畳むことができる。反射部４１は透明薄板であり、支持部４２は透明薄板あるいは図７のような構造体で構成されている。
【００２０】
図７は、支持部４２の構造体例の概略図である。中央部が中空の枠体で、ＡとＢは窓枠形状とし窓枠を通して後ろの疑似立体映像が観測できる。同様にＣは鳥居形状とした例であり、Ｄは単なる金属線枠である。もちろん透明薄板に枠を印刷したものでもよい。
【００２１】
図２Ｃは携帯端末用ケース１を水平に設置し、水平方向から覗いた図である。携帯端末の平面状画面が見えず、画面の並行方向から反射部の全体が見えるためには、反射部４１と携帯端末表示器７の画面とのなす角が略４５度とすることが好適である。同図に示されるように、携帯端末表示器７に表示された画像或いは動画像が反射部４１に反射され、その反射像が支持部４２の透明薄板を通して、あたかも携帯端末表示器７の上に立ち上がった立体画像のように見える。
【００２２】
携帯端末表示器７に表示する画像或いは動画像の背景が、黒色或いは暗色の場合は特に浮き上がって見えるため臨場感が強まる。また、本発明の携帯端末用ケース１を設置する背景が暗い場合は、空間に三次元立体もどきの映像が出現し、歌手が歌ったり、アイドルがダンスをしたりする場面は平面状表示器とは違った臨場感を楽しむことができる。さらに、かわいい我が子や恋人の映像を携帯端末表示器７に表示して水平視線位置に本発明の携帯端末用ケース１を設置すれば、あたかも我が子や恋人が見てくれているような雰囲気を醸し出すことができる。
【００２３】
図３は、本発明の一実施形態に係る携帯端末用ケースの蓋を背景とした概略図である。本発明の携帯端末用ケース１を設置する場所の背景が明るい場合に、反射部４１を通して見えてしまう背景が邪魔にならないよう、携帯端末用ケース１の蓋３の裏側を黒色とし、反射部４１と支持部４２との接合部４４から出た支え部４７で反射部４１の背景としてケースの蓋３を支持し、疑似立体映像をよりくっきりと表示させることができる。上記支え部４７は透明薄板或いは針金等でもよい。
【００２４】
図４は、本発明の別の実現形態に係る携帯端末用ケース３０の概略図である。同図から分かる様に、携帯端末表示器７が長方形の場合は、表示器画面の短辺あるいは長辺に合わせた形で本発明を実現することができる。図２Ｂと同様に、ケースに組み込まれる立体表示装置は反射部３１と支持部３２とを備えて構成され、ケースの蓋３３に組み込まれる方法も同様である。
【００２５】
図５は、本発明の更に別の実現形態に係る携帯端末用ケース５０の概略図である。ケースの形態としては図２Ｂに示される場合と同様であるが、反射部５１と支持部５２とを、共に携帯端末表示器７との為す角を略４５度で接合している。反射部５１と支持部５２とを共に透明薄板で構成すれば、図５に示すＡ，Ｂ両側から疑似立体映像を見ることができる。表示画像は図５に示すようにどちらの側から見ても同じ画像としてもよく、それぞれ異なった画像を表示してもよい。
【００２６】
図６Ａは、図２Ｂ、図４、図５に各々示される形態とは異なる実現形態に係る携帯端末用ケース６０の概略図である。上記立体表示装置においては透明薄板による反射部を６１〜６４の４枚と、天井板６５とし、各反射部が図６Ａに示すように携帯端末表示器と略４５度の角度を成すよう組み合わせて設置される。図６Ａの本発明の態様が適用される携帯端末装置としては、その表示画面が比較的大きいタブレット型が適している。本発明によれば図６Ａのようにイ、ロ、ハ、ニの４方向から疑似立体画像を観測することができ、それぞれ空中に疑似立体画像を観測できる。
【００２７】
図６Ｂは図６Ａに示す立体表示装置を携帯端末用ケースの蓋に折り畳んだ例としての概略平面図を示している。図６Ｂの例では、反射部６１の下部はケース６０の蓋下部に柔軟結合されており、反射部６１の上部は天井板６５と柔軟結合されている。天井板６５は反射部６３の上部と柔軟接合されている。反射部６４及び天井版６５は共に反射部６１とのみ柔軟接合されており、反射部６４及び天井版６５は反射部６３と食い違い構造で接合されている。反射部６１〜６４と天井部６５とを備えて成る立体表示装置６７は、図６Ｂのごとく携帯端末ケース６０の蓋６６に折り畳んで収容することができる。
【００２８】
図６Ｃは、図６Ａに示す立体表示装置を携帯端末表示器上に逆さまに設置するよう構成した例を示す概略図であり、図６Ｄはその折り畳み例としての概略平面図である。このような構成にした場合は、反射部に反射した映像を直に見ることができるため、より立体感を強調することができる。
【００２９】
なお、折り畳んだ後の固定は蓋６６に抑えバンドやポケットを付けてもよい。また、ケース蓋との結合を外せるようにして置き、取り外して携帯端末表示器の上に設置しても同様な疑似立体像を観測することができる。さらに折り畳み方法や収納方法は、図６Ａ，図６Ｂ、図６Ｃ、図６Ｄ以外にもいろいろ考えられるがそれ等は全て本発明の技術思想に含まれるものである。
【００３０】
以上説明してきた本発明の実現例では、反射部と支持部を透明薄板で構成した例を示したが、金属細線で枠を作り薄膜透明フィルムを張った形状としてもよい。この場合は、立体表示装置をケース中に収容する方法は更に種々考えられる。
【産業上の利用可能性】
【００３１】
現在スマートフォンを使った新しいアプリケーションが色々発表されているが、本発明の携帯端末用ケースを用いれば、疑似立体映像を利用した新しいアプリケーションの実現が期待できる。現在一般に用いられているスマートフォンには傾斜計や加速度計やＧＰＳ装置が組み込まれており、これらを用いて、例えばスマートフォンを傾けると人物の立体像がよろけるような表示ができる。本発明の携帯端末用ケースに収容されている疑似立体表示装置とスマートフォンの機能を組み合わせることにより、全く新しいアプリケーションが発展する可能性がある。
【００３２】
さらに、最近急速に普及が進んでいる人工知能（ＡＩ）スピーカーとネットワークを介して連接することにより、本発明をＡＩスピーカーの表示装置として活用することもでき、音響機器と組み合わせる表示器としての利用も期待できる。
【００３３】
また、従来は現実の光景と仮想現実の映像を重ねて見る、いわゆる拡張現実表示機器としてはゴーグルを用いていたが、本発明によればゴーグルを用いることなく、裸眼で見える実際の光景に透明薄板反射部に表示される疑似立体映像を重ねて見ることができる。例えば、このような拡張現実（ＡＲ）によって、遺跡の元の姿や、建築予想光景を現実の光景に重ね合わせてみることもでき、いわば、現実と仮想現実とを自由に組み合わされることができる。よって、観光や教育や土木建築分野などにたいへん広い発展応用が期待できる。更に、平面状表示器を備える各種機器のケースに組み込んで疑似立体表示をすることができ、新しい応用分野を広げることができる。
【符号の説明】
【００３４】
１…携帯端末用ケース、２…ケース本体、３…蓋、４…立体表示装置、１４…ケース、５…支持部受け、６…携帯端末装置、７…携帯端末表示器、３０、５０、６０…携帯端末用ケース、３１，４１…反射部、３２，４２…支持部、Ａ４３…接合部、Ｂ４４…接合部、４７…支え部、５１…反射部、５２…支持部、６１〜６４…反射部、６５…天井板
【図１】
2019148642.tif 000003
【図２Ａ】
2019148642.tif 000004
【図２Ｂ】
2019148642.tif 000005
【図２Ｃ】
2019148642.tif 000006
【図３】
2019148642.tif 000007
【図４】
2019148642.tif 000008
【図５】
2019148642.tif 000009
【図６Ａ】
2019148642.tif 000010
【図６Ｂ】
2019148642.tif 000011
【図６Ｃ】
2019148642.tif 000012
【図６Ｄ】
2019148642.tif 000013
【図７】
2019148642.tif 000014